(57)【要約】      （修正有）【課題】冷蔵扉を開けたときに該冷蔵室の冷気が外部に流出して、該冷蔵庫のエネルギー効率が低下する省エネ冷蔵庫を提供する。【解決手段】冷蔵庫本体１の冷蔵室１０１内に、上下に区画された区画冷蔵室１０２を設け、前面開口部の垂直な辺に設けたヒンジにより軸支した冷蔵扉１０６を有する冷蔵室１０１において、捻りコイルばね２０３の復元力で巻き取る機能を有するロールスクリーン本体２を該区画冷蔵室１０２前面開口部のヒンジ側に設け、ヒンジ反対側の該区画冷蔵室１０２前面開口部概中央にフック１０５又はマグネットを設けることにより、ロールスクリーンで内カバーを形成し、前面開口部を遮蔽、開放可能な構造とした。【選択図】図１
2007263542.tif 000002
【特許請求の範囲】
【請求項１】
冷蔵庫本体の冷蔵室内に水平に設置した１枚以上の冷蔵棚によって上下に区画された区画冷蔵室を設け、該冷蔵室前面開口部の垂直な辺に設けたヒンジにより軸支した回転自在の冷蔵扉を有する冷蔵室において、ロールスクリーン本体のスクリーン引き手概中央に凹形フック受又はマグネット受（以下「フック受」という）を設け、ロールスクリーン本体内に設けた捻りコイルばねの復元力で該スクリーンを巻き取る機能を有するロールスクリーン本体を該区画冷蔵室前面開口部のヒンジ側に設けたロールスクリーン収納部に収納し、ヒンジ反対側の該区画冷蔵室前面開口部概中央にフック又はマグネット（以下「フック」という）を設け、スクリーン引き手を該フック方向に水平に引くことで該捻りコイルばねを捻り、該スクリーン引き手に設けた該フック受を該フックに係止することで該区画冷蔵室前面開口部を遮蔽する構造を成し、該区画冷蔵室から食品等を取り出すときは該フックから該スクリーン引き手を外すことで該捻りコイルばねの復元力で該スクリーンを該ロールスクリーン収納部内に巻き取って該区画冷蔵室前面開口部を開放する構造を成し、該スクリーンで該区画冷蔵室前面開口部を遮蔽した状態においては該冷蔵扉を開けた場合においても該区画冷蔵室内の冷気が流出することを抑制する機能を有することを特徴とするロールスクリーン機構を設けた省エネ冷蔵庫。
【発明の詳細な説明】
【技術分野】
【０００１】  本発明は、冷蔵庫に関するものである。
【背景技術】
【０００２】  一般に市販されている冷蔵庫は片開き又は両開き式冷蔵扉を有する冷蔵室（以下「冷蔵室」という）、引出し式冷凍室、引出し式野菜冷蔵室を有するのが一般的である。【０００３】  該冷蔵室は複数の冷蔵棚で上下に区画され、食品等を多数保存できるように構成している。【０００４】  しかし、該冷蔵室への食品等の出し入れのために頻繁に冷蔵扉を開ける場合があり、また長時間冷蔵扉を開けているために該冷蔵室の冷気が冷蔵室外に流出するために冷蔵庫のエネルギー効率を下げることで大変不経済であり、エネルギー資源の浪費による自然環境への負荷を増大している。
【発明の開示】
【発明が解決しようとする課題】
【０００５】  解決しようとする問題点は、冷蔵庫の冷蔵室を上下数区画に区画した冷蔵庫において、冷蔵扉を開けたときに該冷蔵室の冷気が外部に流出して、該冷蔵庫のエネルギー効率が低下することを、使い勝手の良い仕組みを備えた冷蔵庫で解決することにある。
【課題を解決するための手段】
【０００６】  冷蔵庫本体の冷蔵室内に水平に設置した１枚以上の冷蔵棚によって上下に区画された区画冷蔵室を設け、該冷蔵室前面開口部の垂直な辺に設けたヒンジにより軸支した回転自在の冷蔵扉を有する冷蔵室において、ロールスクリーン本体のスクリーン引き手概中央に凹形フック受又はマグネット受（以下「フック受」という）を設け、ロールスクリーン本体内に設けた捻りコイルばねの復元力で該スクリーンを巻き取る機能を有するロールスクリーン本体を該区画冷蔵室前面開口部のヒンジ側に設けたロールスクリーン収納部に収納し、ヒンジ反対側の該区画冷蔵室前面開口部概中央にフック又はマグネット（以下「フック」という）を設け、スクリーン引き手を該フック方向に水平に引くことで該捻りコイルばねを捻り、該スクリーン引き手に設けた該フック受を該フックに係止することで該区画冷蔵室前面開口部を遮蔽する構造を成し、該区画冷蔵室から食品等を取り出すときは該フックから該スクリーン引き手を外すことで該捻りコイルはねの復元力で該スクリーンを該ロールスクリーン収納部内に巻き取って該区画冷蔵室前面開口部を開放する構造を成し、該スクリーンで該区画冷蔵室前面開口部を遮蔽した状態においては該冷蔵扉を開けた場合においても該区画冷蔵室内の冷気が流出することを抑制する機能を有することを特徴とするロールスクリーン機構を設けた省エネ冷蔵庫によって解決する。
【発明の効果】  本発明は、該区画冷蔵室の前面開口部を、それぞれロールスクリーンで遮蔽することで、該冷蔵室への食品等の出し入れに必要な該区画冷蔵室のみ開けることになるので該冷蔵室の冷気の流出を抑制できる。【０００７】  また、頻繁に出し入れする該区画冷蔵室については、ロールスクリーンを開放してスクリーンを巻き取った状態でも冷蔵扉の開閉が可能でありる。さらに、該区画冷蔵室前面開口部をロールスクリーンで遮蔽した状態でも該スクリーンの中央部分を少し手前に引くことで該区画冷蔵室内へ食品等の出し入れが可能である。
【発明を実施するための最良の形態】
【０００８】  本発明は、冷蔵庫の冷蔵室が複数の冷蔵棚によって上下に区画している区画冷蔵室の前面開口部に、それぞれ横引きロールスクリーンを装着することで省エネ効果を実現する。
【実施例１】
【０００９】  図１は、冷蔵庫本体１の冷蔵室１０１に本発明を装着した１実施例で、該冷蔵室１０１の冷蔵扉３を開けた状態の略正面図である。【００１０】  冷蔵室１０１は４枚の冷蔵棚１０６によって上下に区画されて、５個の区画冷蔵室１０２に区画した実施例である。【００１１】  該冷蔵室１０１の上から３段目の区画冷蔵室１０２の前面開口部はスクリーン２０５を開放した状態で、残り全ての区画冷蔵室１０２の前面開口部はそれぞれのスクリーン２０５で遮蔽した状態図である。冷蔵扉３、区画冷凍室１０３、区画冷蔵室１０４及びその他の一般的な冷蔵庫に関する説明は省略する。【００１２】  ロールスクリーン本体２は、ロールスクリーン収納部２０２に装着し、スクリーン２０５のスクリーン引き手２０６を引いて、ロールスクリーン引き手２０６に設けたフック受２０１をフック１０５に係止することで該区画冷蔵室１０２の前面開口部を遮蔽する。【００１３】  該スクリーン２０５は、スクリーン引き手２０６をフック１０５から外すことでスクリーン２０５はロールスクリーン本体２の捻りコイルばね２０３の力によってロールスクリーン収納部２０２に収納する。【００１４】  図２は、図１のＡ−Ａ線での略断面図で、スクリーン２０５で区画冷蔵室１０２を遮蔽した状態の説明図である。ロールスクリーン収納部２０２にロールスクリーン本体２を装着して、スクリーン２０５が区画冷蔵室１０２を遮蔽する構造をなし、スクリーン引き手２０６に設けたフック受２０１が区画冷蔵室１０２の開口部に設けたフック１０５に係止する。【００１５】  図３は、図１のＢ−Ｂ線での略断面図で、スクリーン２０５はロールスクリーン収納部２０２の中に巻き取った状態で、区画冷蔵室１０２の前面開口部が開放された状態の説明図である。【００１６】  図４は、図２のフック１０５付近の拡大断面図である。スクリーン２０５の端にスクリーン引き手２０６を設け、スクリーン引き手２０６にフック受２０１を凹形に形成し、フック１０５は冷蔵庫本体１から凸形に形成した実施例で、フック１０５にスクリーン引き手２０６が係止する構造をなす。【００１７】  図５は、図２のロールスクリーン収納部２０２付近の拡大断面図である。ロールスクリーン収納部２０２の中にロールスクリーン本体２を装着し、ロールスクリーン本体２からスクリーン２０５を引き出した状態の説明図である。【００１８】  図６は、図５のＣ−Ｃ線での拡大断面図で、ロールスクリーン本体２の中心線で垂直に切断した状態の略説明図である。スクリーン本体２の中心に軸２０４があり、軸２０４に捻りコイルばね２０３を装着し、捻りコイルばね２０３の捻り復元力でスクリーン２０５を巻き取る構造を成す。ロールスクリーン本体２は、それぞれ区画冷蔵室１０２の前面開口部のヒンジ側の端に設けている。【００１９】  本発明を装着した省エネ冷蔵庫の最良の使用方法は、冷蔵室１０１の冷蔵扉３を開けて区画冷蔵室１０２への食品等の出し入れ終了後は、スクリーン引き手２０６を引いてフック１０５に係止し、区画冷蔵室１０２の前面開口部を遮蔽する。【００２０】  また、頻繁に出し入れする区画冷蔵室１０２のスクリーン２０５をロールスクリーン収納部２０２に巻き取った状態で、区画冷蔵室１０２の前面開口部を開放した状態でも使用可能である。【００２１】  さらに、区画冷蔵室１０２をスクリーン２０５で遮蔽した状態でも、スクリーン２０５の概中央付近を手前に引いて食品等の出し入れが可能である。【００２２】    図７は、図４のフック１０５をマグネット１０８置き換え、フック受２０１をマグネット２０７に置き換えた説明図であるが、どちらか片方をマグネットにし、他の片方を鉄材にしても該スクリーン引き手２０６を係止する働きを成す。
【図面の簡単な説明】
【００２３】
【図１】本発明を装着した冷蔵庫の一例である。（冷蔵扉を開けた正面図）
【図２】図１のＡ−Ａ線での断面図である。（スクリーンで区画冷蔵室を遮蔽状態）
【図３】図１のＢ−Ｂ線での断面図である。（スクリーンを開放状態）
【図４】図２のフック付近の拡大断面図である。
【図５】図２のロールスクリーン収納部付近の拡大断面図である。
【図６】図５のＣ−Ｃ線での拡大断面図である。（ロールスクリーン本体付近）
【図７】図４のフック及びフック受の両方をマグネットに置き換えた説明図である。
【符号の説明】
【００２４】    １        冷蔵庫本体
１０１    冷蔵室
１０２    区画冷蔵室
１０３    区画冷凍室
１０４    区画冷蔵室
１０５    フック
１０６    冷蔵棚
１０７    ヒンジ
１０８    マグネット
２        ロールスクリーン本体
２０１    フック受
２０２    ロールスクリーン収納部
２０３    捻りコイルばね
２０４    軸
２０５    スクリーン
２０６    スクリーン引き手
２０７    マグネット受
３        冷蔵肩
３０１    扉棚
４        引出し
【図１】
2007263542.tif 000003
【図２】
2007263542.tif 000004
【図３】
2007263542.tif 000005
【図４】
2007263542.tif 000006
【図５】
2007263542.tif 000007
【図６】
2007263542.tif 000008
【図７】
2007263542.tif 000009